【手続補正書】
【提出日】平成20年5月29日(2008.5.29)
【手続補正１】
【補正対象書類名】明細書
【補正対象項目名】特許請求の範囲
【補正方法】変更
【補正の内容】
【特許請求の範囲】
【請求項１】  複数種類の識別情報を可変表示可能な可変表示装置を有し、識別情報の可変表示の実行条件が成立した後、可変表示の開始条件の成立にもとづいて識別情報の可変表示を開始し、表示結果があらかじめ定められた大当り表示態様となったときに遊技状態を遊技者にとって有利な特定遊技状態に制御可能となる遊技機であって、
遊技の進行を総括的に制御する遊技制御手段と、
前記遊技制御手段から送信されるコマンドにもとづいて、前記可変表示装置における識別情報の可変表示制御を含む演出制御を行う演出制御手段とを備え、
前記遊技制御手段は、
識別情報の可変表示の実行条件の成立時にコマンドを送信する条件成立時コマンド送信手段と、
識別情報の可変表示の開始条件の成立時にコマンドを送信する可変表示開始時コマンド送信手段とを有し、
前記条件成立時コマンド送信手段により送信されるコマンドには、可変表示の実行条件は成立しているが未だ可変表示の開始条件が成立していない数である条件成立数を特定するための条件成立数コマンドと、今回成立した可変表示の実行条件にもとづく識別情報の可変表示においてリーチ演出表示を行うか否かを特定するためのリーチ演出表示態様コマンドとが含まれ、
前記可変表示開始時コマンド送信手段により送信されるコマンドには、可変表示の開始を指示するとともに可変表示態様種別を特定するための可変表示態様コマンドと、識別情報の表示結果を特定するための表示結果コマンドとが含まれる
ことを特徴とする遊技機。
【請求項２】  複数種類の識別情報を可変表示可能な可変表示装置を有し、識別情報の可変表示の実行条件が成立した後、可変表示の開始条件の成立にもとづいて識別情報の可変表示を開始し、表示結果があらかじめ定められた大当り表示態様となったときに遊技状態を遊技者にとって有利な特定遊技状態に制御可能となる遊技機であって、
遊技の進行を総括的に制御する遊技制御手段と、
前記遊技制御手段から送信されるコマンドにもとづいて、前記可変表示装置における識別情報の可変表示制御を含む演出制御を行う演出制御手段とを備え、
前記遊技制御手段は、
識別情報の可変表示の実行条件の成立時にコマンドを送信する条件成立時コマンド送信手段と、
識別情報の可変表示の開始条件の成立時にコマンドを送信する可変表示開始時コマンド送信手段とを有し、
前記条件成立時コマンド送信手段により送信されるコマンドには、可変表示の実行条件は成立しているが未だ可変表示の開始条件が成立していない数である条件成立数を特定するための条件成立数コマンドと、今回成立した可変表示の実行条件にもとづく識別情報の可変表示において大当り表示態様とするか否かを特定するための大当り判定コマンドとが含まれ、
前記可変表示開始時コマンド送信手段により送信されるコマンドには、可変表示の開始を指示するとともに可変表示態様種別を特定するための可変表示態様コマンドと、識別情報の表示結果を特定するための表示結果コマンドとが含まれる
ことを特徴とする遊技機。
【請求項３】  複数種類の識別情報を可変表示可能な可変表示装置を有し、識別情報の可変表示の実行条件が成立した後、可変表示の開始条件の成立にもとづいて識別情報の可変表示を開始し、表示結果があらかじめ定められた大当り表示態様となったときに遊技状態を遊技者にとって有利な特定遊技状態に制御可能となる遊技機であって、
遊技の進行を総括的に制御する遊技制御手段と、
前記遊技制御手段から送信されるコマンドにもとづいて、前記可変表示装置における識別情報の可変表示制御を含む演出制御を行う演出制御手段とを備え、
前記遊技制御手段は、
識別情報の可変表示の実行条件の成立時にコマンドを送信する条件成立時コマンド送信手段と、
識別情報の可変表示の開始条件の成立時にコマンドを送信する可変表示開始時コマンド送信手段とを有し、
前記条件成立時コマンド送信手段により送信されるコマンドには、可変表示の実行条件は成立しているが未だ可変表示の開始条件が成立していない数である条件成立数を特定するための条件成立数コマンドと、今回成立した可変表示の実行条件にもとづく識別情報の可変表示においてリーチ演出表示を行うか否かを特定するためのリーチ演出表示態様コマンドと、今回成立した可変表示の実行条件にもとづく識別情報の可変表示において大当り表示態様とするか否かを特定するための大当り判定コマンドとが含まれ、
前記可変表示開始時コマンド送信手段により送信されるコマンドには、可変表示の開始を指示するとともに可変表示態様種別を特定するための可変表示態様コマンドと、識別情報の表示結果を特定するための表示結果コマンドとが含まれる
ことを特徴とする遊技機。
【請求項４】  演出制御手段は、条件成立時コマンド送信手段から送信されるコマンドにもとづいて、識別情報の表示結果が確定する前に、リーチ演出表示態様となる旨のリーチ予告報知を行う
請求項１または請求項３記載の遊技機。
【請求項５】  演出制御手段は、条件成立時コマンド送信手段から送信されるコマンドにもとづいて、識別情報の表示結果が確定する前に、大当りとなる旨の大当り予告報知を行う
請求項２または請求項３記載の遊技機。
【手続補正２】
【補正対象書類名】明細書
【補正対象項目名】０００７
【補正方法】変更
【補正の内容】
【０００７】
【課題を解決するための手段】
本発明による遊技機は、複数種類の識別情報を可変表示可能な可変表示装置（例えば可変表示装置９）を有し、識別情報の可変表示の実行条件が成立した後、可変表示の開始条件の成立にもとづいて識別情報の可変表示を開始し、表示結果があらかじめ定められた大当り表示態様（例えば左中右の識別情報が揃った表示態様）となったときに遊技状態を遊技者にとって有利な特定遊技状態（例えば大当り遊技状態）に制御可能となる遊技機であって、遊技の進行を総括的に制御する遊技制御手段（ＣＰＵ５６等）と、遊技制御手段から送信されるコマンド（例えば表示制御コマンド）にもとづいて、可変表示装置における識別情報の可変表示制御を含む演出制御を行う演出制御手段（例えば表示制御用ＣＰＵ１０１を含む表示制御手段）とを備え、遊技制御手段が、識別情報の可変表示の実行条件（例えば、遊技領域に設けられた始動入賞領域への入賞）の成立時にコマンドを送信する条件成立時コマンド送信手段（例えば遊技制御手段におけるステップＳ１２２，Ｓ１２６，Ｓ１２８，Ｓ１３３のコマンド作成処理を実行する部分で実現される）と、識別情報の可変表示の開始条件の成立時にコマンドを送信する可変表示開始時コマンド送信手段（例えば遊技制御手段における停止図柄設定処理の結果に応じたコマンドを送信するコマンド作成処理を実行する部分で実現される）とを有し、条件成立時コマンド送信手段により送信されるコマンドには、可変表示の実行条件は成立しているが未だ可変表示の開始条件が成立していない数である条件成立数を特定するための条件成立数コマンド（例えば始動入賞記憶数指定の表示制御コマンド：Ｅ０ＸＸ（Ｈ））と、今回成立した可変表示の実行条件にもとづく識別情報の可変表示においてリーチ演出表示を行うか否かを特定するためのリーチ演出表示態様コマンド（例えばリーチ入賞時指定の表示制御コマンド：Ｅ５０１（Ｈ））とが含まれ、可変表示開始時コマンド送信手段により送信されるコマンドには、可変表示の開始を指示するとともに可変表示態様種別を特定するための可変表示態様コマンド（例えば変動パターン指定の表示制御コマンド：８０ＸＸ（Ｈ））と、識別情報の表示結果を特定するための表示結果コマンド（例えば左図柄指定、中図柄指定、右図柄指定の表示制御コマンド：９１ＸＸ（Ｈ），９２ＸＸ（Ｈ），９２ＸＸ（Ｈ））とが含まれることを特徴とする。
【手続補正３】
【補正対象書類名】明細書
【補正対象項目名】０００８
【補正方法】変更
【補正の内容】
【０００８】
本発明による他の態様の遊技機は、複数種類の識別情報を可変表示可能な可変表示装置（例えば可変表示装置９）を有し、識別情報の可変表示の実行条件が成立した後、可変表示の開始条件の成立にもとづいて識別情報の可変表示を開始し、表示結果があらかじめ定められた大当り表示態様（例えば左中右の識別情報が揃った表示態様）となったときに遊技状態を遊技者にとって有利な特定遊技状態（例えば大当り遊技状態）に制御可能となる遊技機であって、遊技の進行を総括的に制御する遊技制御手段（ＣＰＵ５６等）と、遊技制御手段から送信されるコマンド（例えば表示制御コマンド）にもとづいて、可変表示装置における識別情報の可変表示制御を含む演出制御を行う演出制御手段（例えば表示制御用ＣＰＵ１０１を含む表示制御手段）とを備え、遊技制御手段が、識別情報の可変表示の実行条件（例えば、遊技領域に設けられた始動入賞領域への入賞）の成立時にコマンドを送信する条件成立時コマンド送信手段（例えば遊技制御手段におけるステップＳ１２２，Ｓ１２６，Ｓ１２８，Ｓ１３３のコマンド作成処理を実行する部分で実現される）と、識別情報の可変表示の開始条件の成立時にコマンドを送信する可変表示開始時コマンド送信手段（例えば遊技制御手段における停止図柄設定処理の結果に応じたコマンドを送信するコマンド作成処理を実行する部分で実現される）とを有し、条件成立時コマンド送信手段により送信されるコマンドには、可変表示の実行条件は成立しているが未だ可変表示の開始条件が成立していない数である条件成立数を特定するための条件成立数コマンド（例えば始動入賞記憶数指定の表示制御コマンド：Ｅ０ＸＸ（Ｈ））と、今回成立した可変表示の実行条件にもとづく識別情報の可変表示において大当り表示態様とするか否かを特定するための大当り判定コマンド（例えば大当り入賞１指定の表示制御コマンドおよび大当り入賞２指定の表示制御コマンド）とが含まれ、可変表示開始時コマンド送信手段により送信されるコマンドには、可変表示の開始を指示するとともに可変表示態様種別を特定するための可変表示態様コマンド（例えば変動パターン指定の表示制御コマンド：８０ＸＸ（Ｈ））と、識別情報の表示結果を特定するための表示結果コマンド（例えば左図柄指定、中図柄指定、右図柄指定の表示制御コマンド：９１ＸＸ（Ｈ），９２ＸＸ（Ｈ），９２ＸＸ（Ｈ））とが含まれることを特徴とする。
【手続補正４】
【補正対象書類名】明細書
【補正対象項目名】０００９
【補正方法】変更
【補正の内容】
【０００９】
本発明によるさらに他の態様の遊技機は、複数種類の識別情報を可変表示可能な可変表示装置（例えば可変表示装置９）を有し、識別情報の可変表示の実行条件が成立した後、可変表示の開始条件の成立にもとづいて識別情報の可変表示を開始し、表示結果があらかじめ定められた大当り表示態様（例えば左中右の識別情報が揃った表示態様）となったときに遊技状態を遊技者にとって有利な特定遊技状態（例えば大当り遊技状態）に制御可能となる遊技機であって、遊技の進行を総括的に制御する遊技制御手段（ＣＰＵ５６等）と、遊技制御手段から送信されるコマンド（例えば表示制御コマンド）にもとづいて、可変表示装置における識別情報の可変表示制御を含む演出制御を行う演出制御手段（例えば表示制御用ＣＰＵ１０１を含む表示制御手段）とを備え、遊技制御手段が、識別情報の可変表示の実行条件（例えば、遊技領域に設けられた始動入賞領域への入賞）の成立時にコマンドを送信する条件成立時コマンド送信手段（例えば遊技制御手段におけるステップＳ１２２，Ｓ１２６，Ｓ１２８，Ｓ１３３のコマンド作成処理を実行する部分で実現される）と、識別情報の可変表示の開始条件の成立時にコマンドを送信する可変表示開始時コマンド送信手段（例えば遊技制御手段における停止図柄設定処理の結果に応じたコマンドを送信するコマンド作成処理を実行する部分で実現される）とを有し、条件成立時コマンド送信手段により送信されるコマンドには、可変表示の実行条件は成立しているが未だ可変表示の開始条件が成立していない数である条件成立数を特定するための条件成立数コマンド（例えば始動入賞記憶数指定の表示制御コマンド：Ｅ０ＸＸ（Ｈ））と、今回成立した可変表示の実行条件にもとづく識別情報の可変表示においてリーチ演出表示を行うか否かを特定するためのリーチ演出表示態様コマンド（例えばリーチ入賞時指定の表示制御コマンド：Ｅ５０１（Ｈ））と、今回成立した可変表示の実行条件にもとづく識別情報の可変表示において大当り表示態様とするか否かを特定するための大当り判定コマンド（例えば大当り入賞１指定の表示制御コマンドおよび大当り入賞２指定の表示制御コマンド）とが含まれ、可変表示開始時コマンド送信手段により送信されるコマンドには、可変表示の開始を指示するとともに可変表示態様種別を特定するための可変表示態様コマンド（例えば変動パターン指定の表示制御コマンド：８０ＸＸ（Ｈ））と、識別情報の表示結果を特定するための表示結果コマンド（例えば左図柄指定、中図柄指定、右図柄指定の表示制御コマンド：９１ＸＸ（Ｈ），９２ＸＸ（Ｈ），９２ＸＸ（Ｈ））とが含まれることを特徴とする。
【手続補正５】
【補正対象書類名】明細書
【補正対象項目名】００１０
【補正方法】変更
【補正の内容】
【００１０】
演出制御手段が、条件成立時コマンド送信手段から送信されるコマンド（例えば変動パターン指定の表示制御コマンド：８０ＸＸ（Ｈ））にもとづいて、識別情報の表示結果が確定する前に、リーチ演出表示態様となる旨のリーチ予告報知を行うように構成されていてもよい。
【手続補正６】
【補正対象書類名】明細書
【補正対象項目名】００１１
【補正方法】変更
【補正の内容】
【００１１】
演出制御手段が、条件成立時コマンド送信手段から送信されるコマンド（例えば変動パターン指定の表示制御コマンド：８０ＸＸ（Ｈ））にもとづいて、識別情報の表示結果が確定する前に、大当りとなる旨の大当り予告報知を行うように構成されていてもよい。
【手続補正７】
【補正対象書類名】明細書
【補正対象項目名】０２２４
【補正方法】変更
【補正の内容】
【０２２４】
【発明の効果】
以上のように、請求項１記載の発明では、遊技制御手段が、識別情報の可変表示の実行条件の成立時にコマンドを送信する条件成立時コマンド送信手段と、識別情報の可変表示の開始条件の成立時にコマンドを送信する可変表示開始時コマンド送信手段とを有し、条件成立時コマンド送信手段により送信されるコマンドには、可変表示の実行条件は成立しているが未だ可変表示の開始条件が成立していない数である条件成立数を特定するための条件成立数コマンドと、今回成立した可変表示の実行条件にもとづく識別情報の可変表示においてリーチ演出表示を行うか否かを特定するためのリーチ演出表示態様コマンドとが含まれ、可変表示開始時コマンド送信手段により送信されるコマンドには、可変表示の開始を指示するとともに可変表示態様種別を特定するための可変表示態様コマンドと、識別情報の表示結果を特定するための表示結果コマンドとが含まれるように構成されているので、リーチ演出表示が出現することを示唆するための信頼性の高い始動入賞の記憶にもとづく演出を行うことができるという効果がある。
【手続補正８】
【補正対象書類名】明細書
【補正対象項目名】０２２５
【補正方法】変更
【補正の内容】
【０２２５】
請求項２記載の発明では、遊技制御手段が、識別情報の可変表示の実行条件の成立時にコマンドを送信する条件成立時コマンド送信手段と、識別情報の可変表示の開始条件の成立時にコマンドを送信する可変表示開始時コマンド送信手段とを有し、条件成立時コマンド送信手段により送信されるコマンドには、可変表示の実行条件は成立しているが未だ可変表示の開始条件が成立していない数である条件成立数を特定するための条件成立数コマンドと、今回成立した可変表示の実行条件にもとづく識別情報の可変表示において大当り表示態様とするか否かを特定するための大当り判定コマンドとが含まれ、可変表示開始時コマンド送信手段により送信されるコマンドには、可変表示の開始を指示するとともに可変表示態様種別を特定するための可変表示態様コマンドと、識別情報の表示結果を特定するための表示結果コマンドとが含まれるように構成されているので、演出制御手段が、将来、特定の表示結果が出現することを示唆するための信頼性の高い始動入賞の記憶にもとづく演出を行うことができるという効果がある。
【手続補正９】
【補正対象書類名】明細書
【補正対象項目名】０２２６
【補正方法】変更
【補正の内容】
【０２２６】
請求項３記載の発明では、遊技制御手段が、識別情報の可変表示の実行条件の成立時にコマンドを送信する条件成立時コマンド送信手段と、識別情報の可変表示の開始条件の成立時にコマンドを送信する可変表示開始時コマンド送信手段とを有し、条件成立時コマンド送信手段により送信されるコマンドには、可変表示の実行条件は成立しているが未だ可変表示の開始条件が成立していない数である条件成立数を特定するための条件成立数コマンドと、今回成立した可変表示の実行条件にもとづく識別情報の可変表示においてリーチ演出表示を行うか否かを特定するためのリーチ演出表示態様コマンドと、今回成立した可変表示の実行条件にもとづく識別情報の可変表示において大当り表示態様とするか否かを特定するための大当り判定コマンドとが含まれ、可変表示開始時コマンド送信手段により送信されるコマンドには、可変表示の開始を指示するとともに可変表示態様種別を特定するための可変表示態様コマンドと、識別情報の表示結果を特定するための表示結果コマンドとが含まれるように構成されているので、演出制御手段が、将来、リーチ演出または特定の表示結果が出現することを示唆するための信頼性の高い始動入賞の記憶にもとづく演出を行うことができる。
【手続補正１０】
【補正対象書類名】明細書
【補正対象項目名】０２２７
【補正方法】変更
【補正の内容】
【０２２７】
請求項４記載の発明では、演出制御手段が、条件成立時コマンド送信手段から送信されるコマンドにもとづいて、識別情報の表示結果が確定する前に、リーチ演出表示態様となる旨のリーチ予告報知を行うように構成されているので、演出制御手段が、信頼性の高いリーチ予告報知演出を行うことができる。
【手続補正１１】
【補正対象書類名】明細書
【補正対象項目名】０２２８
【補正方法】変更
【補正の内容】
【０２２８】
請求項５記載の発明では、演出制御手段が、条件成立時コマンド送信手段から送信されるコマンドにもとづいて、識別情報の表示結果が確定する前に、大当りとなる旨の大当り予告報知を行うように構成されているので、信頼性の高い大当り予告報知演出を行うことができる。